(57)【要約】【課題】収納部に対してカフの出し入れが簡単にできると共に、収納状態でカフのほとんどの部分を外部に露出しないように隠しておくことができ、従って、目障りにならず、ほこりなどが付きにくい形でカフを収納しておくことのできる血圧計を提供する。【解決手段】前面に表示パネル部１０を有する血圧計本体１の外装ケース２１の背面に、左右両端面の開放した断面コ字形の背面カバー５０を装着し、外装ケース２１の後面との間にカフの収納空間６０を確保し、背面カバー５０を左右方向スライド自在に設ける。背面カバーのスライドにより下面の電池ボックスを開閉自在とし、表示パネル部１０の下面と背面カバー５０の下面との間に段差を設けて、テーブルに載置した状態で、表示パネル部１０の前面が斜め上を向くようにした。【選択図】図４
0003128639.tif 000002
【実用新案登録請求の範囲】
【請求項１】
前面に表示パネル部を有する血圧計本体の外装ケースの背面に、
上面壁と後面壁と下面壁とを有する断面コ字形をなし、開放した前面側の上面壁の前端と下面壁の前端を前記外装ケースの上下端に嵌合することで、外装ケースの後面との間にカフの収納空間を確保する背面カバーを装着し、
且つ、前記背面カバーを、前記血圧計本体の左右方向寸法と同程度に設定した上で、該血圧計本体の左右方向にスライド自在に設けると共に、前記背面カバーの、少なくともスライドしたときに血圧計本体から突出する側の端面を開口面として開放したことを特徴とする血圧計。
【請求項２】
請求項１に記載の血圧計であって、
前記血圧計本体の下面に配置された電池ボックスの開口面を、前記背面カバーの下面壁のスライドにより開閉自在としたことを特徴とする血圧計。
【請求項３】
請求項１または２に記載の血圧計であって、
前記表示パネル部の下面と前記背面カバーの下面との間に、背面カバー側の下面が上側となるような段差を設け、
前記表示パネル部の下面の一点と前記背面カバーの下面の一点を支持点として、略水平な載置面上に載置することにより、前記表示パネル部の前面を斜めの姿勢に保持可能としたことを特徴とする血圧計。
【請求項４】
請求項１〜３のいずれか１項に記載の血圧計であって、
前記血圧計本体の外装ケースの後面に、収納したカフの抜け防止用の突起を設けたことを特徴とする血圧計。
【考案の詳細な説明】
【技術分野】
【０００１】
本考案は、カフの収納空間を備えた血圧計に関するものである。
【背景技術】
【０００２】
例えば、上腕にカフを巻き付けるタイプの血圧計の中に、血圧計本体に、不使用時のカフ（阻血帯またはカフ帯とも呼ばれる）を収納しておくためのカフ収納部を設けたものが知られている（例えば、特許文献１参照）。特許文献１に記載の血圧計では、断面Ｕ字状のカフの収納部を、上からカフを収納できるように、開口部を上に向けた姿勢で血圧計本体の背部に着脱自在に設けている。
【０００３】
【特許文献１】特開２００２−３６９８０４号公報
【考案の開示】
【考案が解決しようとする課題】
【０００４】
ところで、特許文献１に記載の血圧計では、断面Ｕ字状のカフ収納部を、開口を上に向けた姿勢で血圧計本体の背部に設けているので、血圧計の不使用時に、上からカフ収納部にカフを挿入するだけで、カフをしまっておくことができ、カフの出し入れが簡単にできる、という利点があるものの、収納状態でカフの多くの部分が外部に露出しているので、目障りである上、ほこりなどがカフに付いてしまう問題がある。
【０００５】
本考案は、上記事情を考慮し、収納部に対してカフの出し入れが簡単にできると共に、収納状態でカフの多くの部分を隠すことができ、従って、目障りにならず、ほこりなどが付きにくい形でカフを収納しておくことのできる血圧計を提供することを目的とする。
【課題を解決するための手段】
【０００６】
請求項１の考案は、前面に表示パネル部を有する血圧計本体の外装ケースの背面に、上面壁と後面壁と下面壁とを有する断面コ字形をなし、開放した前面側の上面壁の前端と下面壁の前端を前記外装ケースの上下端に嵌合することで、外装ケースの後面との間にカフの収納空間を確保する背面カバーを装着し、且つ、前記背面カバーを、前記血圧計本体の左右方向寸法と同程度に設定した上で、該血圧計本体の左右方向にスライド自在に設けると共に、前記背面カバーの、少なくともスライドしたときに血圧計本体から突出する側の端面を開口面として開放したことを特徴とする。
【０００７】
請求項２の考案は、請求項１に記載の血圧計であって、前記血圧計本体の下面に配置された電池ボックスの開口面を、前記背面カバーの下面壁のスライドにより開閉自在としたことを特徴とする。
【０００８】
請求項３の考案は、請求項１または２に記載の血圧計であって、前記表示パネル部の下面と前記背面カバーの下面との間に、背面カバー側の下面が上側となるような段差を設け、前記表示パネル部の下面の一点と前記背面カバーの下面の一点を支持点として、略水平な載置面上に載置することにより、前記表示パネル部の前面を斜めの姿勢に保持可能としたことを特徴とする。
【０００９】
請求項４の考案は、請求項１〜３のいずれか１項に記載の血圧計であって、前記血圧計本体の外装ケースの後面に、収納したカフの抜け防止用の突起を設けたことを特徴とする。
【考案の効果】
【００１０】
請求項１の考案によれば、血圧計本体の背面に、左右端面以外の全周が閉じた空間として、カフの収納空間を確保しているので、カフのほとんどの部分を外部に露出しないように隠しておくことができる。また、背面カバーを不透明な材料で形成しておくことにより、外部から見えないようにすることもできる。従って、目障りにならず、しかも、ほこりが付かないように、カフを収納しておくことができる。また、カフを収納する場合は、背面カバーの端面の開口から、丸めた状態で簡単に挿入するができるし、そのままでは挿入しにくい場合は、背面カバーをスライドさせて、その半分くらいを血圧計本体から突出させることにより、開放した端面と半分くらい開放した前面とを合わせた広い開放部分からカフを挿入し、その状態で背面カバーを定位置にスライドさせることにより、カフを血圧計本体の背面の定位置に収納することができる。また、カフを取り出す場合は、逆の操作を行えばよい。従って、カフの出し入れが簡単にでき、使い勝手が良くなる。
【００１１】
請求項２の考案によれば、背面カバーが電池ボックスの蓋を兼ねるので、部品点数を削減できる。
【００１２】
請求項３の考案によれば、背面カバーと表示パネル部の下面間に段差を設けることにより、表示パネル部の前面を斜めの姿勢に保持できるようにしたので、表示が見やすくなる上、テーブル等に載せた状態での安定性を良くすることができる。
【００１３】
請求項４の考案によれば、カフの収納空間が背面カバー内部の左右に筒抜けの空間である場合には、搬送中などにカフが抜け落ちる心配があるが、外装ケースの後面に突起があることにより、カフの抜け落ちを防止することができる。
【考案を実施するための最良の形態】
【００１４】
以下、本考案の実施形態を図面を参照しながら説明する。
図１は実施形態の血圧計の構成を示し、（ａ）は正面図、（ｂ）は（ａ）のＩｂ−Ｉｂ矢視断面図、図２は同血圧計の左前方から見た斜視図、図３は同血圧計の右後方から見た斜視図、図４は同血圧計において背面カバーをスライドさせた状態での左上前方から見た斜視図、図５は同血圧計の図４と同じ状態での右後方から見た斜視図、図６（ａ）は同血圧計を上下反転させた状態での後方から見た斜視図、（ｂ）は（ａ）の状態から背面カバーをスライドさせて見た斜視図、図７（ａ）〜（ｃ）は同血圧計においてカフを使用してから収納するまでの手順説明図である。
【００１５】
図７に示すように、この血圧計は、上腕Ｍａに巻き付けて阻血するカフ４０と、カフ４０に一体に接続されたチューブ４１と、血圧を計測するための機器を内蔵した血圧計本体１と、血圧計本体１の背面に装着された背面カバー５０と、で構成されている。図１〜図６に示すように、血圧計本体１は、前面の表示パネル部１０と、その背面側の測定ユニット部２０とからなり、測定ユニット部２０の左側面にチューブ４１の接続口２７、右側面にＡＣアダプタ接続部２８がある。
【００１６】
表示パネル部１０は、正面から見て左右に横長の長方形の薄い箱型に形成されたもので、外装ケース１１と、その内部に装備された表示ユニット１２と、外装ケース１１の前面に装着された透明化粧板１３と、外装ケース１１の上面に装備された操作スイッチ１５と、を備えている。
【００１７】
また、測定ユニット部２０は、表示パネル部１０の外装ケース１１と連結された外装ケース２１と、その内部に装備された測定ユニット本体２２と、電池ボックス２４に装填された電池２３と、を有している。測定ユニット本体２２には、カフ４０に空気を送り込んで膨張させる空気ポンプ、カフ４０に充填された空気を排気する排気弁、カフ４０の圧力
を検出する圧力センサ、これらを制御して血圧測定を行い必要な表示を行う制御部などが含まれている。
【００１８】
測定ユニット部２０の外装ケース２１は、上面壁２１ａと、電池ボックス２４の電池２３を交換するための開口面を有する下面壁２１ｂと、後面壁２１ｃと、左右の側面壁２１ｄ、２１ｅとを有し、後面壁２１ｃの外面中央に、後述するカフの収納空間６０に収納したカフ４０の抜け止め用の山形の突起２１ｔが設けられている。
【００１９】
背面カバー５０は、上面壁５１と後面壁５２と下面壁５３とを有する断面コ字形をなしており、左右両端が開口面として開放している。そして、背面カバー５０の開放した前面側の上面壁５１の前端と下面壁５３の前端を測定ユニット部２０の外装ケース２１の上下壁２１ａ、２１ｂの上面と下面に共に嵌合することで、外装ケース２１の後面と背面カバー５０との間にカフの収納空間６０を確保している。
【００２０】
この場合の背面カバー５０は、血圧計本体１の左右方向寸法と同程度に設定されており、血圧計本体１の左右方向にスライド自在に設けられている。そのスライド動作を案内するため、測定ユニット部２０の外装ケース２１の上下壁２１ａ、２１ｂの外面と、背面カバー５０の上面壁５１と下面壁５３の前端部の内面には、ガイド溝２１ｇと、ガイド溝２１ｇ内をスライドするスライド凸部（図示略）とが設けられている。
【００２１】
スライド溝２１ｇは、背面カバー５０を、その長さの半分だけスライド可能とするために、背面カバー５０の左右方向寸法の半分の長さに設けられており、そのガイド溝２１ｇの端部までスライド凸部が移動することにより、その端部がストッパの役割を果たす。また、この背面カバー５０の下面壁５３は、測定ユニット部２０の下面に配置された電池ボックス２４の開口面を開閉する蓋を兼ねている。
【００２２】
また、表示パネル部１０の下面と背面カバー５０の下面との間には、背面カバー５０側の下面が上側となるような段差Ｈ（図１参照）が設けられており、表示パネル部１０の下面の一点（本例では後端）Ｐ１と背面カバー５０の下面の一点（本例では後端）Ｐ２を支持点として、略水平な載置面（図１では、Ｌで示す線をテーブル等の載置面と仮定している）上に載置することにより、表示パネル部１０の前面を、垂直より後方に傾斜した姿勢で保持できるようになっている。なお、支持点Ｐ２には、ゴム等の滑り止め５６が貼り付けられている。
【００２３】
このように、カフ４０を収納するために設けた背面カバー５０の下面の一点Ｐ２が、血圧計本体１の後方への倒れ止めとなる支持点としての役割を果たすので、つまり、背面カバー５０を設けたことによって、後側の支持点Ｐ２の位置をできるだけ後方に持っていることができるので、載置状態での安定性を高めることができる。
【００２４】
次に作用を説明する。
この血圧計で血圧を測定する場合は、まず、図７（ａ）に示すように、カフ４０のチューブ４１を血圧計本体１の接続口２７に接続し、カフ４０を上腕Ｍａに巻き付ける。次に、血圧計本体１の操作スイッチ１５を操作して、計測を開始する。計測が始まると、血圧計本体１の空気ポンプよりカフ４０に空気が送り込まれ、カフ４０が膨張して上腕Ｍａを圧迫することで、阻血が行われる。次に、カフ４０に充填された空気を排気弁により徐々に排気して、降圧時のカフ４０の内圧の変化を圧力センサで検出して血圧を算出し、血圧値を表示パネル部１０に表示する。血圧値が表示されると、カフ４０の空気は急排気される。カフ４０の圧が解除された段階で、上腕Ｍａに巻き付けてあるカフ４０を取り外し、計測を終了する。計測が終了したら、カフ４０のチューブ４１を血圧計本体１から抜いて、カフ４０とチューブ４１を丸めて、背面カバー５０の中に収納する。
【００２５】
収納する際、小さくきれいに丸めた場合は、背面カバー５０の片方の端面の開口から、そのままの状態で簡単に挿入し収納することができる。そのままでは挿入しにくい場合は、図７（ｂ）に示すように、背面カバー５０をスライドさせて、背面カバー５０の半分くらいを血圧計本体１から突出させる。そうすることにより、開放した端面と半分くらい開放した前面とを合わせた広い開放部分から、矢印Ａに示すように、カフ４０を背面カバー５０の中に挿入することができる。そして、その状態で（ｃ）に示すように、背面カバー５０を矢印Ｂ方向にスライドさせて定位置に戻すことにより、カフ４０を血圧計本体１の背面の定位置に収納することができる。この収納状態において、カフ４０は、測定ユニット部２０の外装カバー２１の突起２１ｔに押された形で保持されるので、抜け落ちが防止される。
【００２６】
このように、血圧計本体１の背面に、左右端面以外の全周が閉じた空間として、カフの収納空間６０を確保しているので、カフ４０のほとんどの部分を外部に露出しないように隠しておくことができる。また、背面カバーを不透明な材料で形成しておくことにより、外部から見えないようにすることもできる。従って、目障りにならず、しかも、ほこりが付かないように、カフ４０を収納しておくことができる。
【００２７】
また、収納してあるカフ４０を取り出す場合は、背面カバー５０の左右どちらかの端面の開口から、そのまま抜き出せばよい。抜き出しにくい場合は、図７（ｂ）のように背面カバー５０をスライドさせれば、背面カバー５０の端面ばかりでなく前面も開放できるので、簡単に収納したカフ５０を取り出すことができる。従って、カフ４０の出し入れが簡単にでき、使い勝手が良くなる。
【００２８】
また、この背面カバー５０は、図６に示すように、電池ボックス２４の蓋を兼ねているので、敢えて専用の全治ボックス２４用の蓋を設ける必要がなく、部品点数を削減できる。
【００２９】
また、水平なテーブル上に本血圧計を載置した状態では、前述したように、表示パネル部１０の前面が斜めの姿勢で保持されるので、表示が見やすくなる。
【図面の簡単な説明】
【００３０】
【図１】本考案の実施形態の血圧計の構成を示し、（ａ）は正面図、（ｂ）は（ａ）のＩｂ−Ｉｂ矢視断面図である。
【図２】同血圧計の左前方から見た斜視図である。
【図３】同血圧計の右後方から見た斜視図である。
【図４】同血圧計において背面カバーをスライドさせた状態での左上前方から見た斜視図である。
【図５】同血圧計の図４と同じ状態での右後方から見た斜視図である。
【図６】（ａ）は同血圧計を上下反転させた状態での後方から見た斜視図、（ｂ）は（ａ）の状態から背面カバーをスライドさせて見た斜視図である。
【図７】（ａ）〜（ｃ）は同血圧計においてカフを使用してから収納するまでの手順説明図である。
【符号の説明】
【００３１】
１０  表示パネル部
２０  血圧計本体
２１  外装ケース
２１ｔ  突起
２４  電池ボックス
５０  背面カバー
５１  上面壁
５２  後面壁
５３  下面壁
６０  カフの収納空間
Ｈ  段差
Ｐ１，Ｐ２  支持点
Ｌ  略水平な載置面
【図１】
0003128639.tif 000003
【図２】
0003128639.tif 000004
【図３】
0003128639.tif 000005
【図４】
0003128639.tif 000006
【図５】
0003128639.tif 000007
【図６】
0003128639.tif 000008
【図７】
0003128639.tif 000009